(57)【特許請求の範囲】
【請求項１】
床面に載置する基台の中央部に竪ポールを立設しその周囲で前記基台の径方向線上に形成した第一セット溝を複数本形成したパネルセットベースと、前記パネルセットベースの第一セット溝に下端縁の端部を着脱可能に差し込みセットし上部の両側端面にキーブロックを設けた立設パネルと、前記立設パネルのキーブロックに上方から嵌め込むキー溝を備え前記立設パネルの側部を着脱可能に差し込む第二セット溝を備え前記パネルセットベースの竪ポールに挿入セットする連結孔を備えたパネル間ジョイントとからなることを特徴とする幼児用オリジナル知育遊具。
【請求項２】
床面に載置する基台の中央部に竪ポールを立設しその周囲で前記基台の径方向線上に形成した第一セット溝を複数本形成したパネルセットベースと、前記パネルセットベースの第一セット溝に下端縁の端を着脱可能に差し込みセット可能にし上部の両側端面にキーブロックを設けた立設パネルと、前記立設パネルの上端部に載置連結する屋根パネルと、前記立設パネルのキーブロックに上方から嵌め込むキー溝を備え前記立設パネルの側部を着脱可能に差し込みする第二セット溝を備えパネルセットベースの竪ポールに挿入セットする連結孔を備えたパネル間ジョイントとからなることを特徴とする幼児用オリジナル知育遊具。
【請求項３】
前記立設パネルは、矢切り付ハウスパネル、ハウスサイド用パネル、ゲート用パネル、お店ハウス用パネル、ガーデンサイド用パネルであることを特徴とする請求項１又は請求項２に記載の幼児用オリジナル知育遊具。
【発明の詳細な説明】
【技術分野】
【０００１】  本発明は、子供の幼児用遊具の中でも自発的想像力を育むオリジナル知育遊具に関する。
【背景技術】
【０００２】  幼児用遊具としてのコンセプトは、子供に安全であり、子供の自由な生活行動を可能にすると共に遊び行動も満足させることであり、子供の生活・遊び行動に応じて子供が自発的に用途に応じて簡単に組み立てて、子供に発想の転換と興味と思考力およびチャレンジ精神の醸成を、自然体で感じさせることが出来る遊具にすることである。
これを満足するものとして本願出願人は、過去に特許文献１〜特許文献３にて子供の成長に合わせて夢のある幼児用組立遊具（ジョイント幼児遊具）を紹介し、幼児教育業界に大きく貢献をしてきた。【０００３】  これ等の幼児用組立遊具は、連結用の基台を複数台用意し、これに予め組み立ててある滑り台、登り台、梯子等を簡易連結具で連結して基台との昇降コンビネーション遊具にしたり、叉、複数の基台の上部間にトンネルブリッジ、太鼓橋、ネット渡橋、ネット吊り橋、ウェーブ橋、蛇行橋等を前記簡易連結具で、連結して高所渡りコンビネーション遊具にするものである。これらの組み合わせは幼児又は保育士等のアイディアを生かして連結して、様々なミニ遊園地を構成して楽しむことが出来る。【０００４】昔、積み木のように色々な立体形状の単一部材を予め多数作成して置き、これらを遊ぶ幼児の自由な発想に基いて組み立てていくものがある。いわば子供の想像力を育む知育遊具の原始である。【０００５】一方現在の、幼児用遊具は、パーソナルコンピュータ等を活用してプログラマーが作成された高度化され且つゲーム化された高価で難しく、想像力を育む遊具としては程遠いものがある。
そこで本出願人は最近特許文献４にて「オリジナル知育遊具」と称して、誰かによって作られた既成のゲームやキャラクターの世界ではなく、多様な組み立てを可能にした単一の各種連結遊具部材を利用して、子供本人が描いた自由なイメージを自分の手で創造させ、その完成の喜びを感じさせる遊具、また親子で、又は子供同士がお互いに協力して創造することができる遊具、即ち実質的なオリジナル知育遊具を紹介した。
【先行技術文献】
【特許文献】
【０００６】
【特許文献１】特開２０１４−２０４９４６号公報「子供用家具調遊具」
【特許文献２】特開２０１５−２２３４９８号公報「子供用組立遊具」
【特許文献３】特開２０１７−６４３７２号公報「幼児用組立遊具」
【特許文献４】特許第６４２２０４２号公報「オリジナル知育遊具」
【発明の概要】
【発明が解決しようとする課題】
【０００７】  本発明は、この実質的なオリジナル知育遊具を起点にして、新規なパネルセットベース及びパネル間ジョイントを開発して、これらにより矢切り付ハウスパネル、ハウスサイド用パネル、ゲート用パネル、お店ハウス用パネル、ガーデンサイド用パネル等、多種類の立設パネルを多様に連結して、お楽しみの各種ハウスやガーデンを簡易に安全に自在に組み立てることを可能にした第二弾のオリジナル知育遊具を提供するものである。
【課題を解決するための手段】
【０００８】  上記本発明の課題を満足させる幼児用オリジナル知育遊具の主な技術構成は、次の（１）〜（３）の通りである。【０００９】（１）、床面に載置する基台の中央部に竪ポールを立設しその周囲で前記基台の径方向線上に形成した第一セット溝を複数本形成したパネルセットベースと、前記パネルセットベースの第一セット溝に下端縁の端部を着脱可能に差し込みセットし上部の両側端面にキーブロックを設けた立設パネルと、前記立設パネルのキーブロックに上方から嵌め込むキー溝を備え前記立設パネルの側部を着脱可能に差し込む第二セット溝を備え前記パネルセットベースの竪ポールに挿入セットする連結孔を備えたパネル間ジョイントとからなることを特徴とする幼児用オリジナル知育遊具。【００１０】（２）、床面に載置する基台の中央部に竪ポールを立設しその周囲で前記基台の径方向線上に形成した第一セット溝を複数本形成したパネルセットベースと、前記パネルセットベースの第一セット溝に下端縁の端を着脱可能に差し込みセット可能にし上部の両側端面にキーブロックを設けた立設パネルと、前記立設パネルの上端部に載置連結する屋根パネルと、前記立設パネルのキーブロックに上方から嵌め込むキー溝を備え前記立設パネルの側部を着脱可能に差し込みする第二セット溝を備えパネルセットベースの竪ポールに挿入セットする連結孔を備えたパネル間ジョイントとからなることを特徴とする幼児用オリジナル知育遊具。【００１１】  （３）、前記立設パネルは、矢切り付ハウスパネル、ハウスサイド用パネル、ゲート用パネル、お店ハウス用パネル、ガーデンサイド用パネルであることを特徴とする前記（１）又は（２）に記載の幼児用オリジナル知育遊具。
【発明の効果】
【００１２】  本発明は、第二弾のオリジナル知育遊具として、新規な多機能なパネルセットベース及びパネル間ジョイントにより矢切り付ハウスパネル、ハウスサイド用パネル、ゲート用パネル、お店ハウス用パネル、ガーデンサイド用パネル等、多種類の立設パネルを多様に連結して、お楽しみの各種ハウスやガーデンを簡易に安全に自在に組み立てることを可能にしたものである。【００１３】  これにより、ゲームやキャラクターの世界ではなく、子供たち自身の経験やイメージを、自分の手で大切なハウスを中心にした遊び場を作り上げることの喜びを感じさせ、また子供に合わせたハウス課題を自由に本人が創造し、或いは親子で、又は子供同士がお互いに協力していろいろなハウスやガーデンを組み込み創造することができる優れたオリジナル知育作用効果を呈するものである。
【図面の簡単な説明】
【００１４】
【図１】本発明の実施例におけるパネルセットベースを示し、（１）はセット溝をＸ型に配置したパネルセットベース１００−１の斜視正面図を示し、（２）はセット溝をＹ型に配置したパネルセットベース１００−２の斜視正面図を示す。
【図２−１】本発明の実施例における当該立設パネルを連結するパネル間ジョイント２００−１の平面斜視図を（１）に示し（２）に裏面斜視図を示す。
【図２−２】本発明の実施例における当該立設パネルを連結するパネル間ジョイント２００−２の平面斜視図を（１）に示し（２）に裏面斜視図を示す。
【図２−３】本発明の実施例における当該立設パネルを連結するパネル間ジョイント２００−３の平面斜視図を（１）に示し（２）に裏面斜視図を示す。
【図２−４】本発明の実施例における当該立設パネルを連結するパネル間ジョイント２００−４の平面斜視図を（１）に示し（２）に裏面斜視図を示す。
【図２−５】本発明の実施例における当該立設パネルを連結するパネル間ジョイント２００−５の平面斜視図（１）を（１）に示し（２）に裏面斜視図を示す。
【図２−６】本発明の実施例における当該立設パネルを連結するパネル間ジョイント２００−６の平面斜視図を（１）に示し（２）に裏面斜視図を示す。
【図２−７】本発明の実施例における当該立設パネルを連結するパネル間ジョイント２００−７の平面斜視図を（１）に示し（２）に裏面斜視図を示す。
【図３−１】本発明の実施例における立設パネルの例（１）〜（４）を示す正面図。
【図３−２】本発明の実施例における立設パネルの例（５）〜（９）を示す正面図。
【図３−３】本発明の実施例における立設パネルの例（１０）〜（１４）を示す正面図。
【図３−４】本発明の実施例における立設パネルの例（１５）〜（１６）を示す正面図。
【図３−５】本発明の実施例における屋根パネルの例（１）〜（２）を示す平面図。
【図４−１】一対の立設パネル３００−７，３００−１０をパネルセットベース１００−１及びパネル間ジョイント２００−３で連結する例を示す説明図であり、本図は連結前の状態を示す斜視図である。
【図４−２】図４−１の状態から向かって右側の立設パネル３００−１０をパネルセットベース１００−１にセットした状態を示す斜視図である。
【図４−３】図４−２の状態から向かって左側の立設パネル３００−７をパネルセットベース１００−１にセットした状態を示す斜視図である。
【図４−４】図４−３の状態から、パネル間ジョイント２００−３を降下させて両方の立設パネル３００−７，３００−１０の両側部を差し込んでいる状態を示す斜視図である。
【図４−５】図４−４の状態からパネル間ジョイント２００−３のキー溝に立設パネル３００−７，３００−１０のキーブロック３０１を嵌め込んで連結固定した状態を示す斜視図である。
【図５】図６に示す本発明の組立構築例１の組立前の配置例を示す斜視説明図である。
【図６】図５に示す下準備から組立構築した例１の完成斜視図である。
【図７】組み立て構築例２を示す斜視説明図である。
【図８】組み立て構築例３を示す斜視説明図である。
【図９】組み立て構築例４を示す斜視説明図である。
【図１０】組み立て構築例５を示す斜視説明図である。
【図１１】組み立て構築例６を示す斜視説明図である。
【図１２】組み立て構築例７を示す斜視説明図である。
【発明を実施するための形態】
【００１５】  本発明を実施するための形態を次に記載の実施例により詳細に説明する。
【実施例】
【００１６】  本発明の実施例における基本的な部材構成を図１〜図３に示す。
幼児用オリジナル知育遊具は、図１の（１）〜（２）に示すパネルセットベース１００−１〜１００−２と、図２−１の（１）（２）〜図２−６の（１）〜（２）に示すパネル間ジョイント２００−１〜２００−６と、図３−１〜図３−４に示し、上部の両側端面にキーブロック３０１を設けた各種例の立設パネル３００−１〜３００−１６と、図３−５に示す屋根パネル４００−１，４００−２とからなる。
これらのパーツを用いて組み立てる前のパーツ構築例１を図５の斜視図に示し、組立後の状態を図６に示す。
更に、図７〜図１２に組み立て構築例２〜７の斜視説明図を示す。【００１７】  図１の（１）において、パネルセットベース１００−１は、床面に載置する円板型の基台１０１の中央部に竪ポール１０２を立設し、この竪ポール１０２の下部連結位置を中心に第一セット溝１０３を９０度の回転角間隔で４本Ｘ型に形成してある。第一セット溝１０３はいずれの立設パネルでもその下部端部を真横から或いは真上から容易に嵌め込み自在に形成してあり、セットパネルの下部を保持してその立設状態を確実に維持する。
前記竪ポール１０２は、後述するパネル間ジョイントを設置する際に、パネル間ジョイントの連結孔に挿入してパネル間に確実にセットするためのガイドであり且つセット後の立設パネルをパネル間ジョイントを介して安定保持する主柱である。
このパネルセットベース１００−１は、立設パネルを単独に連結配置し、或いは直線的に連結配置し、或いは十字状に連結配置し、更にはＴ字状に連結配置し、又はＬ字状に連結配置することができる万能タイプである。【００１８】  図１の（２）において、パネルセットベース１００−２は、床面に載置する円板型の基台１０１は中央部に竪ポール１０２を立設し、この竪ポール１０２の下部連結位置を中心に第一セット溝１０３を１２０度の回転角度間隔で３本Ｙ型に形成してある。
第一セット溝１０３はパネルセットベース１００−２と同様にいずれの立設パネルの下部端部を真横から或いは真上から容易に嵌め込み自在に形成してあり、セットパネルの下部を保持してその立設状態を確実に維持する。
このパネルセットベース１００−２は、立設パネルを単独に支持し、或いはＶ字状に連結配置し、或いはＹ字状に連結配置することができるタイプである。【００１９】  図２−１の（１）と（２）に示すパネル間ジョイント２００−１は、一枚の立設パネルのキーブロック３０１（図４−１に記載）に上方から載置して嵌め、立設パネルの幅方向移動を確実にロックするキー溝２１１を備え、前記立設パネルの側部を着脱可能に装入する１本の第二セット溝２０１を備えパネルセットベース１００−１の竪ポール１０３に挿入セットする連結孔２１０を備えてある。【００２０】  図２−２の（１）と（２）に示すパネル間ジョイント２００−２は、最多二枚の立設パネルのキーブロック３０１に上方から載置して嵌め、立設パネルの幅方向移動を確実にロックするキー溝２１１を備え前記二枚の立設パネルの上部側部を着脱可能に装入して直線配置連結する一対の第二セット溝２０１を備えパネルセットベース１００−１の竪ポール１０３に挿入セットする連結孔２１０を備えてある。【００２１】  図２−３の（１）と（２）に示すパネル間ジョイント２００−３は、最多二枚の立設パネルのキーブロック３０１に上方から載置して嵌め、立設パネルの幅方向移動を確実にロックするするキー溝２１１を備え前記二枚の立設パネルの側部を着脱可能に装入しＬ型に配置連結する一対の第二セット溝２０１を備えパネルセットベース１００−１の竪ポール１０３に挿入セットする連結孔２１０を備えてある。【００２２】  図２−４の（１）と（２）に示すパネル間ジョイント２００−４は、最多三枚の立設パネルのキーブロック３０１に上方から載置して嵌め、立設パネルの幅方向移動を確実にロックする三本のキー溝２１１を備え前記三枚の立設パネルの側部を着脱可能に装入してＴ型に配置連結する三個の第二セット溝２０１を備えパネルセットベース１００−１の竪ポール１０３に挿入セットする連結孔２１０を備えてある。【００２３】  図２−５の（１）と（２）に示すパネル間ジョイント２００−５は、最多四枚の立設パネルのキーブロック３０１に上方から載置して嵌め、立設パネルの幅方向移動を確実にロックする四本のキー溝２１１を備え前記四枚の立設パネルの側部を着脱可能に装入して十字型に配置連結する四個の第二セット溝２０１を備えパネルセットベース１００−１の竪ポール１０３に挿入セットする連結孔２１０を備えてある。【００２４】  図２−６の（１）と（２）に示すパネル間ジョイント２００−６は、最多二枚の立設パネルのキーブロック３０１に上方から載置して嵌めて立設パネルの幅方向移動を確実にロックする二本のキー溝２１１を備え、前記二枚の立設パネルの側部を着脱可能に装入して、内角１２０度のくの字型に配置連結する二個の第二セット溝２０１を備え、パネルセットベース１００−２の竪ポール１０３に挿入セットする連結孔２１０を備えてある。【００２５】  図２−７の（１）と（２）に示すパネル間ジョイント２００−７は、最多三枚の立設パネルのキーブロック３０１に上方から載置して嵌めて立設パネルの幅方向移動を確実にロックする三本のキー溝２１１を備え、前記二枚の立設パネルの側部を着脱可能に装入して各角度１２０度のＹの字型に配置連結���る三本の第二セット溝２０１を備え、パネルセットベース１００−２の竪ポール１０３に挿入セットする連結孔２１０を備えてある。【００２６】  次に、図３−１〜図３−４に示す本発明の実施例における立設パネル例３００−１〜３００−１４、及び図３−５に示す本発明の実施例における屋根パネル４００−１，４００−２について説明する。【００２７】  図３−１の（１）〜（４）に示す立設パネル３００−１〜３００−４は、ハウスの出入り口や間仕切り用のゲート用パネルであり、上部に襟模様板３１を取り付けてある。立設パネル３００−３はカーテン３２を垂設してある。【００２８】  図３−２の（５）〜（９）に示す立設パネル３００−５〜３００−９は、矢切り３３付ハウスパネルであり、この矢切り３３の下に襟模様３４を取り付けてある。立設パネル３００−５はお店ハウス用パネルであり、そのカウンター３５を設け、こどもＳＹＯＰ名とリンゴのマークを入れたロゴを描いてある。立設パネル３００−６は小窓３６を開け壁面に黒板３７を設けており、立設パネル３００−７は小窓３６を開け壁面には広窓３８を形成してある。また立設パネル３００−８はミラー３９と小窓４０を設けてあり、立設パネル３００−９は透明窓４１と小窓４０を設けてある。【００２９】  図３−３の（１０）〜（１４）に示す立設パネル３００−１０〜３００−１４は、ハウスサイド用パネルであり、立設パネル３００−１０、３００−１３、３００−１４は覗き小窓４２を有し、立設パネル３００−１１は透明窓４３を形成し、立設パネル３００−１２は笑顔のくりぬき小窓４４を形成してある。【００３０】  図３−４の（１５）〜（１６）に示す立設パネル３００−１５、３００−１６はガーデンサイド用パネルであり立設パネル３００−１５は、庭木４５を飾り、立設パネル３００−１６は草花４６を飾ってあり土地付きハウスの楽しみも享受できる。【００３１】  図３−５の（１７）〜（１８）には、前記矢切り３３を形成した立設パネル３００−５〜３００−９用の屋根パネル４００−１、４００−２をしめす。屋根パネル４００−１は前記お店ハウスの立設パネル３００−５と３００−７間等に載置する。屋根パネル４００−２は立設パネル３００−５と３００−７間に設置する他に立設パネル３００−８と３００−９間または、ゲートパネルである立設パネル３００−１、３００−２間等に載置する。これらの載置に際しては、例えば屋根パネルの下面の両側に図４に示す前記立設パネルに設けたキーブロック３０１と同様のキーブロックを設け、載置される立設パネルの矢切りの上端部に、前記パネル間ジョイントのキー溝と同様のキー溝を設けてワンタッチで嵌め込み連結するタイプにすることが出来る。
これ等の各立設パネル３００−１〜３００−１６の裏面の上部両側には、図４例に示すキーブロック３０１をそれぞれ固設してある。このキーブロックはパネル間ジョイントのキー溝に嵌めて立設パネルの幅方向微動を確実に阻止するものである。【００３２】  次に、立設パネルをパネルセットベースとパネル間ジョイントにて組立連結する基本例を次に紹介する。
図４−１〜図４−４に示す例は、パネルセットベース１００−１とＬ型のパネル間ジョイント２００−３による立設パネル３００−７、３００−１０の二枚を組立連結する例である。
図４−１には組み立て構築する前の配置をしめす。
この状態から図４−２に示すように、立設パネル３００−１０の下部片側をパネルセットベース１００−１の一方の第一セット溝１０３に横からスライドして挿入して保持する。
次に図４−３に示すように、立設パネル３００−７の下部片側をパネルセットベース１００−１の他方の第一セット溝１０３に横からスライドして挿入して保持する。
次に図４−４に示すようにパネル間ジョイント２００−３を上方から下降させて両方の第二セット溝２０１に立設パネル３００−７、３００−１０の各上部片側の頂部に挿入して更に下降させて連結孔２１０に竪ポール１０２を挿入してガイドさせながら微量下降させ図４−５に示すようにその下面の両キー溝２１１に立設パネル３００−７、３００−１０の各上部片側のキーブロック３１０を嵌める。これで立設パネル３００−７、３００−１０の上下部が確実に固定支持される。【００３３】  ＜組み立て構築例１＞
次に、図５と図６にて前記の各パーツを適宜用いて組み立て構築した「こどもドリームハウスＪ１」例を紹介する。
図５は組み立て前の各パーツの配置例を示し、図６に組み立て構築した完成図を示す。そしてその他の組み立て構築したこどもジョイントハウスを図７〜図１２にて紹介する。
図５において、こどもドリームハウスＪ１は最初に連結配置する立設パネル３００−１〜３００−１６及び屋根パネル４００−１、４００−２を仮配置する。
配置した立設パネル間に第一セット溝１０３をＸ型に配置のパネルセットベース１００−１を立てこれにペアーとなる第二セット溝２０１をＴ型、Ｌ型、Ｘ型に配置のパネル間ジョイント２００−３〜２００−５を配置する。
次に、当該立設パネルをパネルセットベース１００−１の第一セット溝１０３に順次差し込み（挿入）セットして連結保持し立設する。連結した立設パネル同士は前記パネル間ジョイント２００−３〜２００−５でパネル上部間を連結して固定していき徐々に組み立てて図６に示す完成図に構築するのである。【００３４】上記の要領で更に組み立てた構築例２〜７例を図７〜図１２にて紹介する。
＜組み立て構築例２＞
図７に示す構築例２は、お店屋さんごっこ用に建てた「こどもＳＹＯＰハウスＪ２」であり、カウンター３５付の立設パネル３００−５、サイドパネルである窓付式立設パネル３００−１１を一対、ゲートパネル３００−２、屋根パネル４００−１、第一セット溝１０３をＸ型に配置のパネルセットベース１００−１及び第二セット溝２０１をＬ型に配置のパネル間ジョイント２００−３により構築したものである。【００３５】  ＜組み立て構築例３＞
図８に示す構築例３は、前例「こどもＳＹＯＰハウスＪ２」の隣に立設パネル３００−２を介してお客さんの控えハウスＪ３を建てた例である。お客さんの控えハウスＪ３は屋根パネル４００−２、立設パネル３００−１、３００−２、３００−６、３００−１１及びパネルセットベース１００−１、Ｌ型のパネル間ジョイント２００−３、Ｔ型のパネル間ジョイント２００−４により構築したものである。【００３６】  ＜組み立て構築例４＞
図９に示す構築例４は、構築例３の「こどもＳＹＯＰハウスＪ２」とお客さんの控えハウスＪ３の間に庭木パネル３００−１６と、立設パネル３００−２をパネルセットベース１００−１、Ｌ型のパネル間ジョイント２００−３、Ｔ型のパネル間ジョイント２００−４で連接して遊び中庭を設けた「庭付きハウスＪ４」である。【００３７】  ＜組み立て構築例５＞
図１０に示す構築例５は、パネルを６角形に配置した「二連のガーデンハウスＪ５、Ｊ６」である。図１０左のガーデンハウスＪ５は、立設パネル３００−２、庭木パネル３００−１５、立設パネル３００−１２、３００−６、庭木パネル３００−１５、庭草パネル３００−１６をパネル間ジョイント２００−６、２００−７で連設してある。図１０右のガーデンハウスガーデンハウスＪ６はガーデンハウスＪ５と兼ねる立設パネル３００−２、庭木パネル３００−１５、３００−５、３００−２、庭木パネル３００−１５、庭草パネル３００−１６をパネルセットベース１００−２とパネル間ジョイント２００−６、２００−７で連設してある。【００３８】  ＜組み立て構築例６＞
図１１に示す構築例６は、庭木パネル３００−１５と庭草パネル３００−１６をパネルセットベース１００−１とパネル間ジョイント２００−１、２００−２、２００−２、２００−２、２００−２、２００−１で直線的に連設した生垣パネルＪ６である。【００３９】  ＜組み立て構築例７＞
図１２に示す構築例７は、立設パネル（ゲートパネル）３００−１を中央部に配置しその両側各々に庭木パネル３００−１５、庭草パネル３００−１６、３００−１６、の順にパネルセットベース１００−２と、くの字型のパネル間ジョイント２００−６、Ｉ型のパネル間ジョイント２００−１で連設したゲート付の生垣パネルＪ７である。
このように本発明の幼児用オリジナル知育遊具は、前述に紹介したように各種各様の優れた構築バリエーションを呈し、幼児に素敵な自主製作の遊び場を提供することを容易に可能にしたものである。
【産業上の利用可能性】
【００４０】  本発明の幼児用オリジナル知育遊具は、前述の効果で述べ、及び各種各様の構築例を紹介したように優れた構築バリエーションと作用効果を呈し、幼児教育界並びに幼児遊具産業界に貢献すること多大なものがあり産業上の利用可能性は極めて高い。
【符号の説明】
【００４１】１００−１、１００−２：パネルセットベース
１０１：基台
１０２：竪ポール
１０３：第一セット溝
２００−１〜２００−７：パネル間ジョイント
２０１：第二セット溝
２１０：連結孔
２１１：キー溝
３００−１〜３００−１６：立設パネル
３０１：キーブロック
４００−１，４００−２：屋根パネル
【要約】
【課題】数少ない新規なパネルセットベースとパネル間ジョイントを利用して、多種類の立設パネルを多様に連結して、幼児自身の経験やイメージで、自分の手で楽しいハウスを作り上げることの喜びを感じさせることができる、第二弾の改良型オリジナル知育遊具を提供する。
【解決手段】床面に載置する基台の中央部に竪ポールを立設しその周囲で前記基台の径方向線上に形成した第一セット溝を複数本形成したパネルセットベースと、前記パネルセットベースの第一セット溝に下端縁の端部を着脱可能に差し込みセットし上部の両側端面にキーブロックを設けた立設パネルと、前記立設パネルのキーブロックに上方から嵌め込むキー溝を備え前記立設パネルの側部を着脱可能に差し込む第二セット溝を備え前記パネルセットベースの竪ポールに挿入セットする連結孔を備えたパネル間ジョイントとからなることを特徴とする幼児用オリジナル知育遊具。
【選択図】図１【図１】
0006782471.tif 000002
【図２−１】
0006782471.tif 000003
【図２−２】
0006782471.tif 000004
【図２−３】
0006782471.tif 000005
【図２−４】
0006782471.tif 000006
【図２−５】
0006782471.tif 000007
【図２−６】
0006782471.tif 000008
【図２−７】
0006782471.tif 000009
【図３−１】
0006782471.tif 000010
【図３−２】
0006782471.tif 000011
【図３−３】
0006782471.tif 000012
【図３−４】
0006782471.tif 000013
【図３−５】
0006782471.tif 000014
【図４−１】
0006782471.tif 000015
【図４−２】
0006782471.tif 000016
【図４−３】
0006782471.tif 000017
【図４−４】
0006782471.tif 000018
【図４−５】
0006782471.tif 000019
【図５】
0006782471.tif 000020
【図６】
0006782471.tif 000021
【図７】
0006782471.tif 000022
【図８】
0006782471.tif 000023
【図９】
0006782471.tif 000024
【図１０】
0006782471.tif 000025
【図１１】
0006782471.tif 000026
【図１２】
0006782471.tif 000027